(57)【要約】【課題】ウェブページ上の設定画面において、ユーザーに応じて表示される注釈コメント等を変更させたり表示させない内容にしたりすることができる技術を提供する。【解決手段】ＭＦＰ１０のクライアント用注釈設定部６０は、クライアント端末７０からＭＦＰ１０への設定を行う場合に、クライアント端末７０に表示されるＨＴＭＬベース（ウェブページ）の設定画面に注釈を入れる場合の調整を行う。すなわちクライアント用注釈設定部６０は、注釈無し設定画面または注釈有り設定画面を表示させるための注釈表示の設定を行う。設定されたデータは、クライアント端末７０に保持される。【選択図】図３
2017049768.tif 000002
【特許請求の範囲】
【請求項１】
外部の端末において表示させる設定画面用のウェブページを前記外部の端末からの要求を受けて送信する電子機器であって、
前記外部の端末に保持され前記ウェブページを表示する際に使用される注釈文を生成する注釈文設定部を備え、
前記注釈文のファイルは、ウェブストレージ機能に用いられるものであって、前記外部の端末で前記ウェブページが表示される場合に、前記外部の端末に保持されている前記注釈文が参照されることを特徴とする電子機器。
【請求項２】
前記注釈文設定部は、前記注釈文を前記設定画面用の前記ウェブページに表示される設定項目と関連づけて生成することを特徴とする請求項１に記載の電子機器。
【請求項３】
外部の端末と、前記外部の端末において表示させる設定画面用のウェブページを前記外部の端末からの要求を受けて送信する電子機器とを備える機器システムであって、
前記電子機器は、前記外部の端末に保持され前記ウェブページを表示する際に使用される注釈文を生成する注釈文設定部を備え、
前記外部の端末は、前記注釈文を保持し、前記ウェブページを表示する場合に、前記注釈文を参照して、前記注釈文を前記ウェブページに付加して表示させることを特徴とする機器システム。
【請求項４】
電子機器の設定を外部の端末から行う場合の設定画面の表示方法であって、
前記電子機器の設定のために、前記電子機器から設定画面用のウェブページを要求する設定画面要求工程と、
前記外部の端末の特定の記憶領域を参照し、前記ウェブページに埋め込む注釈文を探索する注釈文探索工程と、
探索した前記注釈文を前記ウェブページに埋め込み表示するページ表示工程と、
を備えることを特徴とする表示方法。
【請求項５】
電子機器の設定を外部の端末から行う場合に前記外部の端末に表示される設定画面に前記外部の端末に応じて表示する注釈文を設定する表示設定方法であって、
前記設定画面の設定項目に注釈文を埋め込むか否かをユーザーから取得する注釈文付与確認工程と、
前記注釈文を埋め込む場合に、埋め込む注釈文を取得する注釈文取得工程と、
前記注釈文と前記設定項目とを関連づけて前記外部の端末で保持可能に出力する出力工程と、
を備える表示設定方法。
【発明の詳細な説明】
【技術分野】
【０００１】
本発明は、電子機器、機器システム、表示方法及び表示設定方法に係り、例えば、外部の端末から設定を行うことが可能な電子機器、そのような電子機器と外部の端末とを備える機器システム、そのような設定の表示方法、及びその表示を設定するための表示設定方法に関する。
【背景技術】
【０００２】
近年、ネットワーク技術の進展にともない、ネットワークに接続される電子機器の各種設定について、クライアント端末でウェブブラウザーを介して行われるようになっている。すなわち、ＨＴＭＬで記述されたウェブページ上で各種の設定が行われるようになっている。
【０００３】
設定画面では、ユーザーへの注意や指示等を記述した注釈が付加されている場合がある。注釈を付加する技術としては各種の技術が提案されている。例えば、注釈データをネットワーク上の特定のサーバーに保存しておき、ウェブページを表示させる際に注釈データを埋め込んで表示させる技術がある（例えば特許文献１参照。）。
【先行技術文献】
【特許文献】
【０００４】
【特許文献１】特開２００９−１９９５００号公報
【発明の概要】
【発明が解決しようとする課題】
【０００５】
一般に、電子機器の設定画面において、設定項目等は特定のものに設定されることになるが、設定を行ったり変更を行ったりするユーザーによって難易度が異なってくることがある。そのような場合、注釈が設定項目の側に表示されるようにすることで、ユーザーの利便性を高めることができる。一方で、上級ユーザーや設定に慣れているユーザーにとっては、注釈が不要である場合や、短い説明の注釈の方が好ましい場合もある。すなわち、ウェブページ上の設定画面において、表示される内容を変更させたり表示させなかったりすることができる技術が求められていた。
【０００６】
本発明はこのような状況に鑑みてなされたものであり、上記課題を解決できる技術を提供することを目的とする。
【課題を解決するための手段】
【０００７】
本発明は、外部の端末において表示させる設定画面用のウェブページを前記外部の端末からの要求を受けて送信する電子機器であって、前記外部の端末に保持され前記ウェブページを表示する際に使用される注釈文を生成する注釈文設定部を備え、前記注釈文のファイルは、ウェブストレージ機能に用いられるものであって、前記外部の端末で前記ウェブページが表示される場合に、前記外部の端末に保持されている前記注釈文が参照される。
また、前記注釈文設定部は、前記注釈文を前記設定画面用の前記ウェブページに表示される設定項目と関連づけて生成してもよい。
本発明は、外部の端末と、前記外部の端末において表示させる設定画面用のウェブページを前記外部の端末からの要求を受けて送信する電子機器とを備える機器システムであって、前記電子機器は、前記外部の端末に保持され前記ウェブページを表示する際に使用される注釈文を生成する注釈文設定部を備え、前記外部の端末は、前記注釈文を保持し、前記ウェブページを表示する場合に、前記注釈文を参照して、前記注釈文を前記ウェブページに付加して表示させる。
本発明は、電子機器の設定を外部の端末から行う場合の設定画面の表示方法であって、  前記電子機器の設定のために、前記電子機器から設定画面用のウェブページを要求する設定画面要求工程と、前記外部の端末の特定の記憶領域を参照し、前記ウェブページに埋め込む注釈文を探索する注釈文探索工程と、探索した前記注釈文を前記ウェブページに埋め込み表示するページ表示工程と、を備える。
本発明は、電子機器の設定を外部の端末から行う場合に前記外部の端末に表示される設定画面に前記外部の端末に応じて表示する注釈文を設定する表示設定方法であって、前記設定画面の設定項目に注釈文を埋め込むか否かをユーザーから取得する注釈文付与確認工程と、前記注釈文を埋め込む場合に、埋め込む注釈文を取得する注釈文取得工程と、前記注釈文と前記設定項目とを関連づけて前記外部の端末で保持可能に出力する出力工程と、を備える。
【発明の効果】
【０００８】
本発明によると、ウェブページ上の設定画面において、ユーザーに応じて表示される注釈コメント等を変更させたり表示させない内容にしたりすることができる技術を提供できる。
【図面の簡単な説明】
【０００９】
【図１】実施形態に係る、画像処理システムの構成を示すブロック図である
【図２】実施形態に係る、クライアント端末で表示されるＨＴＭＬベースの設定画面の例を示す図である。
【図３】実施形態に係る、ＭＦＰの構成を示すブロック図である。
【図４】実施形態に係る、クライアント用注釈設定部の構成を示すブロック図である。
【図５】実施形態に係る、クライアント用注釈設定部による注釈設定処理の画面例である。
【図６】実施形態に係る、クライアント用注釈設定部による注釈設定処理の画面例である。
【図７】実施形態に係る、クライアント端末の構成を示すブロック図である。
【発明を実施するための形態】
【００１０】
以下、本発明を実施するための形態（以下、「実施形態」という）について図面を参照して説明する。
【００１１】
図１は、本実施形態に係る画像処理システム１の構成を示すブロック図である。画像処理システム１は、ＭＦＰ（Multifunction Peripheral）１０と、クライアント端末７０ａ〜７０ｎとを備える。なお、クライアント端末７０ａ〜７０ｎを区別しない場合は、「クライアント端末７０」と称する。ＭＦＰ１０とクライアント端末７０は、ネットワーク２を介して接続されている。ユーザーや管理者は、クライアント端末７０を用いてネットワーク２を経由してＭＦＰ１０の各種設定を行うことができる。また、その設定作業においては、ウェブページの画面、すなわちＨＴＭＬベースの設定画面が用いられる。
【００１２】
図２は、クライアント端末７０で表示されるＨＴＭＬベースの設定画面の例を示しており、クライアント端末７０とＭＦＰ１０との間の通信のためのネットワーク設定を行う画面例である。図２（ａ）は、注釈が表示されない、最もシンプルな注釈無し設定画面Ａ１である。図２（ｂ）は、注釈が表示された注釈有り設定画面Ｂ１である。
【００１３】
注釈無し設定画面Ａ１では、設定項目として「ホスト名」Ａ１１、「ユーザー名」Ａ１２、「パスワード」Ａ１３があり、管理者やユーザーは、これらの設定項目に入力欄に、必要事項を入力する。注釈無し設定画面Ａ１では、特に入力等に関する注意と言った注釈は表示されていない。
【００１４】
一方、注釈有り設定画面Ｂ１では、設定項目として注釈無し設定画面Ａ１と同様に、「ホスト名」Ｂ１１、「ユーザー名」Ｂ１２、「パスワード」Ｂ１３がある。しかし、「ホスト名」Ｂ１１の下の注釈スペースＢ１４に「注釈：ホスト名は×××を指定してください。」という注釈が表示されている。また、「パスワード」Ｂ１３の下の注釈スペースＢ１５に「注釈：パスワードはＺＺＺの入力を避けてください。」という注釈が表示されている。
【００１５】
注釈無し設定画面Ａ１または注釈有り設定画面Ｂ１のどちらを表示するかは、クライアント端末７０毎、すなわちＭＦＰ１０にアクセスするユーザー毎に異なる。その結果、上級者等のように設定作業に熟練している者に対してはシンプルな設定画面を表示させ、あまり慣れていないユーザーに対しては入力作業が容易になるような設定画面を表示させるといったことができる。
【００１６】
図３は、ＭＦＰ１０の構成を示すブロック図である。ＭＦＰ１０は、印刷機能、スキャン機能、ＦＡＸ機能等、複数の機能を備える。画像形成装置１０は、制御部２０と、通信処理部２２と、印刷実行処理部３１と、スキャン実行処理部３２と、ユーザーＩＦ４０と、記憶部２４と、クライアント用注釈設定部６０とを備える。
【００１７】
通信処理部２２は、有線ＬＡＮや無線ＬＡＮ、ＵＳＢ通信等の通信インターフェイスであり、ネットワーク２を介してクライアント端末７０と通信可能に接続される。
【００１８】
制御部２０は、ＭＰＵ（Micro-Processing Unit）、ＲＯＭ（Read Only Memory）、ＲＡＭ（Random Access Memory）等を備え、各構成要素を統括的に制御することで、印刷出力処理や原稿等の読み取り処理、構成要素の動作のステータス監視処理、ユーザー管理、動作制御、設定管理等を行う。
【００１９】
記憶部２４は、例えば、大容量のＨＤＤやＳＳＤ等の内蔵記憶装置であって、印刷実行処理部３１における印刷ジョブやスキャン実行処理部３２からの送信ジョブを実行前に、一旦蓄積する。蓄積されたデータは、特定期間保持される。
【００２０】
印刷実行処理部３１は、一般的な印刷実行機能を有し、制御部２０からの指示により印刷動作を実行する。スキャン実行処理部３２は、一般的な構成であって、スキャナー、プラテンガラス、原稿読取スリット等を備え、原稿の読み取り処理を実行する。
【００２１】
ユーザーＩＦ４０は、表示パネル部４１と、操作ボタン部４２を備える。表示パネル部４１は、ＭＦＰ１０に関するステータス情報や操作情報等を表示する。操作ボタン部４２は、ＭＦＰ１０に対するユーザー操作を受け付ける。なお、操作ボタン部４２は、表示パネル部４１と一体に構成されるタッチパネル式のＩＦや物理的ボタンのＩＦがあり、それらが組み合わさったインターフェイスであってもよい。
【００２２】
クライアント用注釈設定部６０は、クライアント端末７０からＭＦＰ１０への設定を行う場合に、その設定の際にクライアント端末７０に表示されるＨＴＭＬベース（ウェブページ）の設定画面に注釈を入れる場合の調整を行う。すなわちクライアント用注釈設定部６０は、図２で示したような、注釈無し設定画面Ａ１または注釈有り設定画面Ｂ１のような画面を表示させるための注釈表示の設定を行う。
【００２３】
図４は、クライアント用注釈設定部６０の構成を示すブロック図である。クライアント用注釈設定部６０は、クライアント管理部６１と、テンプレート管理部６２と、注釈データ出力部６３とを備える。
【００２４】
クライアント管理部６１は、複数のクライアント端末７０ａ〜７０ｎを管理する。すなわち、クライアント管理部６１は、複数のクライアント端末７０ａ〜７０ｎのそれぞれの登録・認証処理を行い、クライアント端末７０でＨＴＭＬベースの設定画面に注釈を入れて表示させる場合に、その注釈について個別に管理する。なお、当然に、クライアント管理部６１の機能は、制御部２０が行うユーザー管理の機能と共通化されてもよい。
【００２５】
テンプレート管理部６２は、クライアント端末７０でＨＴＭＬベースの設定画面に注釈を入れて表示させるために、注釈設定用のテンプレート（アプリケーション）を保持する。ＭＦＰ１０の管理者は、図６で後述するテンプレートを表示パネル部４１またはクライアント端末７０に表示させて、注釈設定の処理を行う。
【００２６】
注釈データ出力部６３は、注釈設定において設定されたデータ（注釈設定データ）を特定のファイル形式で出力する。出力先は、通信処理部２２に接続されたＵＳＢ記録媒体やクライアント端末７０等である。出力された注釈設定データをクライアント端末７０で読み込んで保存しておき、クライアント端末７０で設定画面を表示させる際に、その注釈設定データを読み込んで、注釈を付与した形で設定画面を表示させる。その注釈を付与のために、例えばウェブストレージ技術（特にlocalStorage）を用いる。また、そのため、注釈設定データのデータ形式は、ウェブストレージで用いる形式となる。
【００２７】
図５及び図６は、クライアント用注釈設定部６０による注釈設定処理の画面例である。図５に示す「注釈設定１」の画面Ｃ１では、図２に示した設定項目の注釈の設定を行う。「ホスト名」の設定項目について、オンオフ設定Ｃ１１及び注釈文入力欄Ｃ１２が設けられている。「ユーザー名」の設定項目について、オンオフ設定Ｃ２１及び注釈文入力欄Ｃ２２が設けられている。さらに、「パスワード」の設定項目について、オンオフ設定Ｃ３１及び注釈文入力欄Ｃ３２が設けられている。各オンオフ設定Ｃ１１、Ｃ２１、３１をオンにすると、それに対応した注釈文入力欄Ｃ１２、Ｃ２２、Ｃ３２に入力された注釈コメントが、設定画面で表示される。
【００２８】
ユーザーが、オンオフ設定Ｃ１１、Ｃ２１、３１及び注釈文入力欄Ｃ１２、Ｃ２２、Ｃ３２を設定し、設定ボタンＣ４１を押下することで設定が確定する。確定したデータは、対象のクライアント端末７０の注釈データ部８０に保存される。保存は、ネットワーク２経由でもよいし、ＵＳＢ記録媒体経由でもよい。
【００２９】
設定されデータとして、例えば、「ウェブページに表示される設定項目を認識できるＩＤ」及び「注釈コメント」である。キャンセルボタンＣ４２が押下されると、「注釈設定１」の画面Ｃ１が消える。この図５で示した設定例を確定すると、図２（ｂ）に示した画面が表示されることになる。
【００３０】
図６に示す「注釈設定２」の画面Ｄ１は、注釈設定データをインポート又はエクスポートする場合に表示される。管理者が設定した注釈コメントは、ファイル入力欄Ｄ１１にファイル名を入力し、エクスポートボタンＤ１３を押下することで、エクスポートすることができる。このエクスポートされたデータを一般ユーザーがインポートすることで、一般ユーザーのクライアント端末７０にデータをコピーし、管理者画面で設定された注釈コメントを一般ユーザーが見ている実画面上に表示させることができる。また、別のＭＦＰ１０で作成した注釈コメントを利用する場合には、ファイル入力欄Ｄ１１に対象のファイル名を入力し、インポートボタンＤ１２を押下することで、インポートすることができる。
【００３１】
図７は、クライアント端末７０の構成を示すブロック図である。ここでは、ＭＦＰ１０の設定画面を表示させる場合に注釈を付与して表示させる機能に着目して示している。クライアント端末７０は、ウェブブラウザーを搭載したＰＣである。クライアント端末７０は、ウェブブラウザー処理部７１と、通信処理部７２と、表示部７３とを備える。
【００３２】
通信処理部７２は、有線ＬＡＮや無線ＬＡＮ、ＵＳＢ通信等の通信インターフェイスであり、ネットワーク２を介してＭＦＰ１０と通信可能に接続される。
【００３３】
ウェブブラウザー処理部７１は、ウェブブラウザーアプリケーション及びそれと連動して機能するアプリケーションである。ウェブブラウザー処理部７１は、ウェブストレージ部７５を備える。ウェブストレージ部７５は、ウェブストレージ機能（sessionStorageとlocalStorage）を実行する。さらに、ウェブストレージ部７５は、注釈データ部８０を備える。注釈データ部８０は、ＭＦＰ１０の注釈データ出力部６３において出力された注釈設定データを取り込み保持する。
【００３４】
ユーザーは、ＭＦＰ１０の設定をする場合には、クライアント端末７０において、ウェブブラウザー処理部７１を用いてウェブブラウザーを起動させ、ＭＦＰ１０にアクセスして、特定の設定画面を表示させる。そのとき、ウェブブラウザー処理部７１は、ウェブストレージ部７５の注釈データ部８０を参照し、注釈を付与する設定になっていれば、設定画面に注釈を付与した形（例えば図２（ｂ）参照）で表示部７３に表示させる。
【００３５】
すなわち、各ウェブページには上記で保存した「設定項目を識別できるＩＤ」が事前に埋め込まれている。したがって、クライアント端末７０は、この埋め込まれたＩＤに紐づいた注釈コメントを参照して動的に表示する。
【００３６】
これにより、注釈コメントを付与するような中継サーバーを必要とせず、クライアント／サーバー間（クライアント端末７０とＭＦＰ１０間）のみの通信だけで実現が可能となる。
【００３７】
また、使用環境ごとの独自の設定ルールを、管理者ユーザーが使用者に対して注意喚起することができる。また、クライアントサイド（クライアント端末７０の注釈データ部８０）に注釈コメントのデータを保存し参照するので、サーバーサイド（ＭＦＰ１０）の記憶領域を圧迫することがない。
【００３８】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。なお、クライアント端末７０から設定を行う電子機器としてＭＦＰ１０について例示したが、これに限る趣旨ではない。ネットワーク２を介してクライアント端末７０でウェブページを開いて設定を行う機器であればよい。例えば、プリンター等の画像形成装置や、ネットワーク対応ＡＶ機器等がある。
【符号の説明】
【００３９】
１  画像処理システム（機器システム）
２  ネットワーク
１０  ＭＦＰ
２０  制御部
２２  通信処理部
２４  記憶部
３１  印刷実行処理部
３２  スキャン実行処理部
４０  ユーザーＩＦ
４１  表示パネル部
４２  操作ボタン部
６０  クライアント用注釈設定部
６１  クライアント管理部
６２  テンプレート管理部
６３  注釈データ出力部
７０、７０ａ、７０ｂ、・・・７０ｎ  クライアント端末（外部の端末）
７１  ウェブブラウザー処理部
７２  通信処理部
７３  表示部
７５  ウェブストレージ部
８０  注釈データ部
【図１】
2017049768.tif 000003
【図２】
2017049768.tif 000004
【図３】
2017049768.tif 000005
【図４】
2017049768.tif 000006
【図５】
2017049768.tif 000007
【図６】
2017049768.tif 000008
【図７】
2017049768.tif 000009